(57)【要約】【課題】メモリーカードのカードスロットへの挿脱時に、メモリーが静電気破壊されることのない電子機器を得ること。【解決手段】メモリーカード４を挿入して内部のコネクタ１ａに接続するカードスロット１ｂを備えた電子機器１において、該電子機器の導電性部品１ｃに接続され、常時は、前記カードスロットのカード挿入口１ｄを塞ぐように付勢される導電性カードカバー３を備える。さらに、前記導電性カードカバーの内側に、前記メモリーカードの後端部に当接して押圧し該メモリーカードを前記コネクタに接続させる突起部が設けられている。【選択図】        図１
2006293623.tif 000002
【特許請求の範囲】
【請求項１】
メモリーカードを挿入して内部のコネクタに接続するカードスロットを備えた電子機器において、
該電子機器の導電性部品に接続され、常時は、前記カードスロットのカード挿入口を塞ぐように付勢される導電性カードカバーを備えることを特徴とする電子機器。
【請求項２】
前記導電性カードカバーの内側に、前記メモリーカードの後端部を押圧し該メモリーカードを前記コネクタに接続させる突起部が設けられていることを特徴とする請求項１に記載の電子機器。
【請求項３】
メモリーカードを挿入して内部のコネクタに接続するカードスロットを備えた電子機器において、
前記カードスロットのカード挿入口が導電性材で形成されて前記電子機器の導電性部品に接続され、
前記メモリーカードの後端部に取付けられ、押圧力を受けて該メモリーカードを前記カードスロットに挿入するとき、該メモリーカードが前記コネクタに接続されるよりも前に前記カード挿入口に接触するように形成された導電性カードカバーを備えることを特徴とする電子機器。
【請求項４】
前記導電性カードカバーが、前記カード挿入口に挿し込み可能な挿入部と、該カード挿入口を覆うカバー部とを有することを特徴とする請求項３に記載の電子機器。
【発明の詳細な説明】
【技術分野】
【０００１】
本発明は、コンパクトフラッシュ（登録商標）カード（以下、ＣＦカードという。）やＳＤメモリーカードのようなメモリーカードを挿入して内部のコネクタに接続するカードスロットを備えた電子機器に関するものである。
【背景技術】
【０００２】
従来の技術として、端末機の前面にメモリーカードを差し込む差込み口（カードスロット）を設け、前記差込み口に差し込まれたメモリーカードの差込み口から突出する先端を押えるアクリル樹脂製のカードカバーを前記端末機の前面に取り付けて成り、前記カードカバーは、前記差込み口の側方位置と差込み口を覆う位置との間で前記差込み口の長手方向と略平行な方向にスライド自在であり、前記差込み口に差し込まれた前記メモリーカードの前記差込み口から突出する先端部が通過する開口部を前記カードカバーの側端部に設けたことを特徴とする端末機へのメモリーカードの保持構造がある（例えば、特許文献１参照）。
【０００３】
【特許文献１】特開平１１−２３８５４６号公報
【発明の開示】
【発明が解決しようとする課題】
【０００４】
しかしながら、上記従来の技術によれば、メモリーカードを差込み口に差し込むときに、アクリル樹脂（非導電性）製のカードカバーを差込み口の側方位置にスライドさせ、メモリーカードを指で摘んで差込み口に差し込みコネクタを接続すると、人体に蓄積されていた静電気がメモリーカードのメモリーに放電され、静電気に弱いメモリーが静電気破壊されることがあるという問題があった。
【０００５】
また、メモリーカードを差込み口から抜き取るときにも、アクリル樹脂製のカードカバーを差込み口の側方位置にスライドさせ、メモリーカードを指で摘んで抜き取るときに、人体に蓄積されていた静電気がメモリーに放電され、上記と同じ問題が起こっていた。
【０００６】
本発明は、上記に鑑みてなされたものであって、メモリーカードのカードスロットへの挿脱時に、メモリーが静電気破壊されることのない電子機器を得ることを目的とする。
【課題を解決するための手段】
【０００７】
上述した課題を解決し、目的を達成するために、本発明の電子機器は、メモリーカードを挿入して内部のコネクタに接続するカードスロットを備えた電子機器において、該電子機器の導電性部品に接続され、常時は、前記カードスロットのカード挿入口を塞ぐように付勢される導電性カードカバーを備えるものである。
【発明の効果】
【０００８】
この発明によれば、メモリーカードのカードスロットへの挿脱時には、必ず、前もって導電性カードカバーを指で摘んで開けなければならず、このとき、人体に蓄積されていた静電気が、導電性カードカバー及び導電性部品を通して放電されてしまい、メモリーカードに放電されることはないので、メモリーが静電気破壊されることのない電子機器が得られるという効果を奏する。
【発明を実施するための最良の形態】
【０００９】
以下に、本発明にかかる電子機器の実施の形態を図面に基づいて詳細に説明する。なお、この実施の形態によりこの発明が限定されるものではない。
【００１０】
実施の形態１．
図１は、本発明にかかる電子機器の実施の形態１のカードスロット１ｂ部分を示す断面図であり、図２−１は、カードカバー３を開いた状態を示す図であり、図２−２は、ＣＦカード４をカードスロット１ｂへ挿入した状態を示す図であり、図２−３は、ＣＦカード４をカードスロット１ｂ内へ押し込んでコネクタ１ａと接続した状態を示す図であり、図２−４は、カードカバー３を閉じた状態を示す図である。
【００１１】
図において、複写機、スキャナ、情報端末機、ＩＣレコーダ等の電子機器１は、メモリーカードとしてのＣＦカード４を挿入して内部のコネクタ１ａに接続するためのカードスロット１ｂを備えている。電子機器の部品である筺体１ｃは、導電性のある金属板で形成されている。カードスロット１ｂのカード挿入口１ｄ近傍の筺体１ｃには、導電性樹脂で形成され、ヒンジ３ａを有するカードカバー３が取り付けられている。カードカバー３と筺体１ｃとは電気的に接続されている。カードカバー３は、ヒンジ３ａに設けられた捻りバネ３ｂにより、常時は、カード挿入口１ｄを塞ぐように付勢されている。
【００１２】
次に、図２−１〜図２−４を参照して、ＣＦカード４をカードスロット１ｂへ挿入してコネクタ１ａに接続する方法を説明する。図２−１に示すように、まず、左手親指５でカードカバー３を開く。このとき、左手親指５がカードカバー３に接触するので、人体に蓄積されていた静電気は、カードカバー３及び筺体１ｃを伝って放電される。次に、図２−２に示すように、右手親指５と人差し指でＣＦカード４の後端部を摘みＣＦカード４をカードスロット１ｂへ挿入する。
【００１３】
次に、図２−３に示すように、右手親指５でＣＦカード４をカードスロット１ｂ内へ押し込んで、ＣＦカード４をコネクタ１ａに接続する。このとき、人体に蓄積されていた静電気は既に放電されているので、静電気がコネクタ１ａを介してＣＦカード４のメモリーに流れてメモリーを静電気破壊することはない。次に、図２−４に示すように、カードカバー３から左手親指５を離しカードカバー３を閉じて、ＣＦカード４の装着作業が完了する。以上説明したように、ＣＦカード４の装着作業により、ＣＦカード４が静電気破壊されることはない。
【００１４】
次に、図３−１〜図３−４を参照して、ＣＦカード４をカードスロット１ｂから抜き取る方法を説明する。図３−１は、ＣＦカード４がカードスロット１ｂに装着されているときにカードカバー３を開いた状態を示す図であり、図３−２は、エジェクトボタン６を押してＣＦカード４をコネクタ１ａから外した状態を示す図であり、図３−３は、ＣＦカード４をカードスロット１ｂ内から抜き取る状態を示す図であり、図３−４は、カードカバー３を閉じた状態を示す図である。
【００１５】
図３−１に示すように、まず、左手親指５でカードカバー３を開く。このとき、左手親指５がカードカバー３に接触するので、人体に蓄積されていた静電気は、カードカバー３及び筺体１ｃを伝って放電される。次に、図３−２に示すように、右手親指５でエジェクタボタン６を押してＣＦカード４をコネクタ１ａから外す。次に、図３−３に示すように、右手の親指５と人差し指でＣＦカード４の後端部を摘みＣＦカード４をカードスロット１ｂから抜き取る。このとき、人体に蓄積されていた静電気は既に放電されているので、ＣＦカード４に放電されてＣＦカード４のメモリーを静電気破壊することはない。
【００１６】
次に、図３−４に示すように、カードカバー３から左手親指５を離しカードカバー３を閉じて、ＣＦカード４の抜取り作業が完了する。以上説明したように、ＣＦカード４の抜取り作業により、ＣＦカード４が静電気破壊されることはない。
【００１７】
実施の形態２.
図４−１は、本発明にかかる電子機器１の実施の形態２のカードスロット１ｂ部分を示す断面図であり、図４−２は、カードカバー３によりＣＦカード４をカードスロット１ｂへ押し込んだ状態を示す図である。図４−１及び図４−２において、図１に示すものと同等のものには同一の符号を付して詳細な説明を省略する。
【００１８】
図４−１に示すように、カードカバー３の内側には、ＣＦカード４の後端部を押圧してＣＦカード４をコネクタ１ａに接続させるための台形の突起部３ｃが設けられている。その他の部分は図１−１に示す実施の形態１のカードスロット１ｂ部分と変わるところはない。
【００１９】
実施の形態１の電子機器１では、ＣＦカード４をカードスロット１ｂ内へ押し込むとき、図２−３に示すように、右手親指５で押し込んでいたが、実施の形態２の電子機器１では、図４−１及び図４−２に示すように、カードカバー３の突起部３ｃをＣＦカード４の後端部に接触させ、右手親指５でカードカバー３を押圧してＣＦカード４を押し込み、ＣＦカード４をコネクタ１ａに接続するようにしている。ＣＦカード４がコネクタ１ａと接続される時に、親指５が直接ＣＦカード４に接触していないので、静電気がコネクタ１ａを介してＣＦカード４のメモリーに流れることは全くない。これにより、ＣＦカード４の静電気破壊をより確実に防ぐことができる。
【００２０】
実施の形態３.
図５−１は、本発明にかかる電子機器１の実施の形態３のカードスロット１ｂ部分を示す断面図であり、図５−２は、カードカバー９によりＣＦカード４をカードスロット１ｂへ押し込んだ状態を示す図である。図５−１及び図５−２において、図１に示すものと同等のものには同一の符号を付して詳細な説明を省略する。
【００２１】
図５−１に示すように、メモリーカード４の後端部に、キャップ状に形成された導電ゴム製のカードカバー９が嵌合されて取り付けられる。カードカバー９は、カードスロット１ｂのカード挿入口１ｄに挿し込み可能な挿入部９ａとカード挿入口１ｄを覆うカバー部９ｂとを有している。カード挿入口１ｄは導電性のある金属板で形成され、導電性のある筺体１ｃに電気的に接続されている。
【００２２】
図５−１〜図５−２に示すように、カバー部９ｂを右手親指５で押圧してメモリーカード４をカードスロット１ｂに挿入するとき、メモリーカード４がコネクタ１ａに接続されるよりも前に挿入部９ａが導電性カード挿入口１ｄに接触するような厚さ寸法に、挿入部９ａは形成されている。
【００２３】
右手親指５でカードカバー９を押圧してＣＦカード４をカードスロット１ｂに挿入するとき、ＣＦカード４がコネクタ１ａと接続されるよりも前に、挿入部９ａが導電性カード挿入口１ｄに接触するので、人体に蓄積されていた静電気は、カードカバー９、導電性カード挿入口１ｄ及び筺体１ｃを伝って放電される。そのため、その後、ＣＦカード４がコネクタ１ａと接続されても、静電気がコネクタ１ａを介してＣＦカード４のメモリーに流れることは全くない。これにより、ＣＦカード４の静電気破壊を防ぐことができる。
【００２４】
実施の形態１〜３は、ＣＦカードを装着する電子機器の例を説明したが、本発明は、ＳＤメモリーカード等の他のメモリーカードを用いる電子機器にも適用することができる。また、カードカバー３、９は、導電性ゴム、導電性樹脂の外、金属製としてもよい。導電性部品１ｃは、筺体の外、シャーシ等としてもよい。
【産業上の利用可能性】
【００２５】
以上のように、本発明にかかる電子機器は、複写機、スキャナ、情報端末機、ＩＣレコーダ等に有用であるが、本発明は、産業用制御機器、車載用機器、家庭用電子機器、計測機器、医療機器等にも適用することができる。
【図面の簡単な説明】
【００２６】
【図１】実施の形態１のカードスロット部分を示す断面図である。
【図２−１】カードカバーを開いた状態を示す図である。
【図２−２】ＣＦカードをカードスロットへ挿入した状態を示す図である。
【図２−３】ＣＦカードをカードスロット内へ押し込んだ状態を示す図である。
【図２−４】カードカバーを閉じた状態を示す図である。
【図３−１】カードカバーを開いた状態を示す図である。
【図３−２】ＣＦカードをコネクタから外した状態を示す図である。
【図３−３】ＣＦカードをカードスロット内から抜き取る状態を示す図である。
【図３−４】カードカバーを閉じた状態を示す図である。
【図４−１】実施の形態２のカードスロット部分を示す断面図である。
【図４−２】ＣＦカードをカードスロットへ押し込んだ状態を示す図である。
【図５−１】実施の形態３のカードスロット部分を示す断面図である。
【図５−２】ＣＦカードをカードスロットへ押し込んだ状態を示す図である。
【符号の説明】
【００２７】
１  電子機器
１ａ  コネクタ
１ｂ  カードスロット
１ｃ  筺体
１ｄ  カード挿入口
３  カードカバー
３ａ  ヒンジ
３ｂ  捻りバネ
４  ＣＦカード
５  親指
６  エジェクトボタン
９  カードカバー
９ａ  挿入部
９ｂ  カバー部
【図１】
2006293623.tif 000003
【図２−１】
2006293623.tif 000004
【図２−２】
2006293623.tif 000005
【図２−３】
2006293623.tif 000006
【図２−４】
2006293623.tif 000007
【図３−１】
2006293623.tif 000008
【図３−２】
2006293623.tif 000009
【図３−３】
2006293623.tif 000010
【図３−４】
2006293623.tif 000011
【図４−１】
2006293623.tif 000012
【図４−２】
2006293623.tif 000013
【図５−１】
2006293623.tif 000014
【図５−２】
2006293623.tif 000015